【事件の表示】
　商願２００６−　５１９６８拒絶査定不服審判事件について、次のとおり審決する。
【結　論】
　本件審判の請求は、成り立たない。
【理　由】
１　本願商標
　本願商標は、「ラーメン缶」の文字を標準文字で書してなり、第３０類「調理済みの即席ラーメン」を指定商品として、平成１８年６月５日に登録出願されたものである。
　
２　原査定の拒絶の理由（要点）  
　原査定は、「本願商標は、『ラーメン缶』の文字を表してなるところ、その構成中の『ラーメン』の文字は商品名であって、『缶』の文字は、容器の意味を有する『缶詰』の略語として一般に使用されている語と認められることから、本願商標全体からは、『調理済みのラーメン入りの缶詰、缶に入っているラーメン』程の意味合いを理解させる止まり、単に商品の品質を表示するにすぎないものと認める。したがって、本願商標は、商標法第３条第１項第３号に該当する。また、使用にかかる商標と出願にかかる商標とは、構成態様が相違し、さらに各甲号証をもってしても、自他商品の識別標識としての機能を有するとは認められないから、同法第３条第２項の要件を具備しない。」旨認定、判断し、本願を拒絶したものである。
　
３　当審における証拠調べ通知  
 　当審において、本願商標が商標法第３条第１項第３号に該当するか否かについて、職権に基づく証拠調べを行ったところ、別掲に示すとおりの事実を発見したので、同法第５６条第１項で準用する特許法第１５０条第５項の規定に基づき、請求人に対し、平成２０年３月１１日付けで証拠調べの結果を通知した。  
 　  
 ４　職権証拠調べに対する請求人の意見(要点)  
　本願商標「ラーメン缶」の語は、造語であって、本願商標に接する取引者、需要者が、「調理済みの即席ラーメンの缶詰」若しくは「缶に入った調理済み即席ラーメン」であると認識するに止まるとは直ちには言えず、指定商品「調理済みの即席ラーメン」との関係において識別力を発揮し得る商標であり、商標法第３条第１項第３号によって拒絶されるべき商標ではない。
　また、本願商標は、商標法第３条第２項の適用により登録を受けてしかるべきである。
　
５　当審の判断
（１）商標法第３条第１項第３号について
　商標法第３条第１項第３号の判断に際しては、「商標法３条１項３号に掲げる商標が商標登録の要件を欠くとされているのは、このような商標は、商品の産地、販売地その他の特性を表示記述する標章であって、取引に際し必要適切な表示としてなんぴともその使用を欲するものであるから、特定人によるその独占使用を認めるのを公益上適当としないものであるとともに、一般的に使用される標章であって、多くの場合自他商品識別力を欠き、商標としての機能を果たし得ないものであることによるものと解すべきである。」（最高裁昭和５３年（行ツ）第１２９号　昭和５４年４月１０日判決言渡）と判示されているところである。
　これを踏まえて、本願についてみるに、本願商標は、前記１のとおり、「ラーメン缶」の文字を標準文字により普通に書してなるところ、その構成中の「ラーメン」の文字は、「(中国語から) 中国風に仕立てた汁そば。小麦粉に鶏卵・塩・かんすい・水を入れてよく練り、そばのようにしたものを茹ゆで、スープに入れたもの。支那そば。中華そば。」（「広辞苑第五版」）等の意味を有し、本願指定商品「調理済み即席ラーメン」との関係においては、普通名称を表したものと認められる。
　また、「缶」の文字は、「１湯沸しの器。『汽缶・薬缶やかん』、２(英語 can の音訳字) 金属製の円筒状の容器。『缶詰・ドラム缶』」（「広辞苑第五版」）等の意味を有するものである。
　そして、食品の缶詰を表す際には、「○○（食品の名称）」に「缶」の文字を結合して、「○○缶」のように用いられる場合があることは、先の証拠調べ通知書で示したほか、以下のとおりである。
（ア）「［キーパーソン］『ハイスキー食品工業』社長　菱谷龍二さん５１＝香川」の見出しのもと、「◆こんにゃく加工品、世界へ」、「新ブランド『マンナンミール』にはめんタイプのほか、フルーツ、サラダなどもそろえ、缶詰タイプの『うどん缶』も近く販売を始める。」との記事（2007.10.17　読売新聞大阪朝刊　32頁)
（イ）「アキバ経済新聞」のウェブサイト（2007-11-15）において、「おでん缶の天狗缶詰、新商品は『スープ＆パスタ缶』−12月発売」の見出しのもと、缶詰の画像と共に、「おでん缶の製造などを行う天狗缶詰（愛知県名古屋市）は12月中旬、チチブデンキ（千代田区外神田3）などで『スープ＆パスタ缶』の販売を開始する。同商品はスープパスタを缶に詰めたもの。」との記載（http://akiba.keizai.biz/headline/709/）。
（ウ）「伊勢志摩経済新聞」のウェブサイト（2008-02-18）において、缶詰の画像と共に、「志摩の水産加工業者、志摩産の『伊勢エビ入りカレー缶』を発売」の見出しのもと、「1931年創業の水産物の加工、鮮魚の販売などを手がける広安商店（志摩市阿児町志島、TEL 0599-45-2023）は今年1月から、志摩でとれた伊勢エビを殻ごと入れたカレー缶の販売を始めた。」との記事（http://iseshima.keizai.biz/headline/383/）。
（エ）「沖縄健康食品成分情報センター」のウェブサイトにおいて、「こんにゃく麺を使った『沖縄そば缶』新発売」の見出しのもと、缶詰の画像と共に、「沖縄そばが『缶入り』になりました。秋葉原で注目され大ブレイクした『おでん缶』に続き、『ラーメン缶』や『肉じゃが缶』など様々な缶入りメニューが登場していましたが、ついに沖縄料理も仲間入りです。発売するのは、食品の企画・販売を手掛けるライフトラスト（那覇市、與古田清順社長）。2008/7/4に、こんにゃくめんを使用した『沖縄ソーキそば缶』（280g　400円）を発売しました。」との記載（http://awamori-hp.hp1.allin1.jp/page.html?submenuKey=1190963051665id=1215579906784mode=view）。
（オ）「盛岡経済新聞」のウェブサイトにおいて、「盛岡のご当地グルメが缶詰に−コンビニ・キオスクで『盛岡冷麺缶』発売」の見出しのもと、缶詰の画像と共に、「JR東日本リテールネット・盛岡支店（盛岡市盛岡駅前北通）は7月17日、『盛岡冷麺缶』を発売した。同品は秋葉原を起点に全国で人気となっているおでん缶やラーメン缶に触発された形で同社が企画したもの。」、「3回の試食を重ね、『とにかく盛岡冷麺の味に近づけた』（同社）という『盛岡冷麺缶』」との記載（http://morioka.keizai.biz/headline/257/）。
　さらに、「ラーメン缶」及び「らーめん缶」の文字が、「ラーメンの缶詰」又は「缶に入ったラーメン」を表す文字として、広く使用されていることは、先の証拠調べ通知書で示したほかにも、以下の新聞記事及びインターネットによる記載からも窺い知ることができる。
（カ）「ＡＳＣ２（２はローマ数字）．ＪＰ」のウェブサイトにおいて、「替玉付きの“とんこつ”ラーメン缶がまもなく登場！そのお味は？」（2007年07月18日 23時59分更新）の見出しのもと、２種類の缶詰の画像と共に、「秋葉原のラーメン缶といえば、おでん缶と並ぶ定番土産となったといっても過言ではないが、そのブームの立役者ともいうべきチチブ電機に“博多とんこつ味”のラーメン缶「博多ラーメン缶 とんこつ」がサンプル入荷した。」、「ラーメン缶初の“替玉缶”システム採用の“博多とんこつ味”ラーメン缶がチチブ電機にて8月3日から販売予定」との記載（http://ascii.jp/elem/000/000/051/51306/）。
（キ）「『はかた寿賀や』、つまみに『ラーメン缶』（ショッピングがいどガイド）」の見出しのもと、多数の缶詰の写真と共に、「独自に開発した『ラーメン缶』が話題を呼んでいる『はかた寿賀や』（福岡市博多区御供所町４―３、写真）。カクテルバー経営の傍ら『お酒をより楽しめるおつまみを』と商品開発事業を始めて３年目。薫製メンタイをスタートに昨夏、ラーメン缶（３種、３６８円）を、この４月にはぞうすい缶（３種）を発売した。３年間保存が利き備蓄にも便利という。」との記事（2008/05/10, 日本経済新聞　地方経済面 (西部特集), 34ページ）。
（ク）「Ｙａｈｏｏ！ショッピング」のウェブサイトにおいて、缶詰めの画像と共に、「缶入りのラーメンがついに完成！３年保存ラーメン缶みそラーメン24缶セット」との記載（http://store.shopping.yahoo.co.jp/ring-g/32992404.html）。
（ケ）「ＥＣナビ」のウェブサイトにおいて、「3年保存 ラーメン缶とんこつラーメン　6缶セット」の見出しのもと、缶詰の画像と共に「ヘルシーでコシのあるコンニャク麺を使用したとんこつ味のラーメン缶！3 年間の長期保存が可能ですので、非常食に最適です！」との記載
（http://kakaku.ecnavi.jp/item_info/20774969760376.html）。
（コ）「株式会社ハドソン」のウェブサイトにおいて、「ラーメン缶・おでん缶４個セット」の見出しのもと、４種類の缶詰の画像と共に、「こんにゃく麺がヘルシーな『北海道ラーメン缶みそ味』『北海道ラーメン缶塩味』、味が染みた具沢山の『函館おでん缶(牛すじ入)』『函館おでん缶(たこ入)』をまとめてお楽しみいただけます。」との記載（http://donhoku.jp/cart/item?iid=2114）。
（サ）「セブン・イレブンネット」のウェブサイトにおいて、「モック　缶でらーめんはじめました。函館・塩らーめん 3個」の見出しのもと、缶詰の画像と共に、「塩味のラーメン缶です。美味しいラーメンを、いつでもどこでも手軽に楽しめたら、そんな期待に応える話題のらーめん缶です。」との記載（
http://www.711net.jp/product/n/a01a16/g/407015000000000/p/9380223）。
　してみれば、前記実情よりして、本願商標「ラーメン缶」の文字より、「ラーメンの缶詰」又は「缶に入ったラーメン」程の意味合いが看取され、これを、その指定商品「調理済み即席ラーメン」に使用しても、これに接する取引者、需要者は、「調理済み即席ラーメンの缶詰」又は「缶に入った調理済み即席ラーメン」であると容易に理解し、単に、商品の形状、品質を普通に用いられる方法で表示する標章のみからなる商標にすぎないものと認識、把握するにとどまるというべきであるから、自他商品の識別標識としての機能を有する商標とは認識し得ないものと判断するのが相当である。
　なお、請求人は、「本願商標は造語であることから、識別力を十二分に発揮し得る商標である。」旨主張するが、仮に、「ラーメン缶」の語が造語であるとしても、それを構成する各単語の語義及び市場における取引きの実情から、前記意味合いを有する複合語として理解される以上、商品の品質を表したものと認識されるにとどまり、自他商品の識別標識としての機能を果たし得ないものであるから、請求人の主張は採用できない。
　そして、このような標章は、指定商品との関係において、当該商品の品質等を表示するために、取引において必要適切な表示として何人も使用を欲するものであるから、特定人によるその独占使用を認めるのは公益上適当でないというべきである。
　また、請求人は、「証拠調べ通知書における新聞記事及びインターネットの情報から、『ラーメン缶』及び『らーめん缶』の文字が、『ラーメンの缶詰』又は『缶に入ったラーメン』を表す語として『広く使用されている実情』を伺い知ることはできない。」旨主張し、その理由として、掲載新聞社数がわずかであること、また、インターネットによる検索結果がわずかであることを挙げ、そして、新聞社が実験的調査として行った新聞広告の効果に関する調査結果を引用している。
　しかしながら、商標が、広く使用されているか否かは、新聞における掲載期間、発行新聞社数、インターネットによる検索結果件数及び製造販売業者の数などによって、一律に判断されるものではなく、本願商標と指定商品との関係、同業他社による使用の状況及び取引の実情等を総合的に判断して決せられるべきものである。
　そうすると、「ラーメン缶」及び「らーめん缶」の文字が、「ラーメンの缶詰」又は「缶に入ったラーメン」を表す語として広く使用されていることは、証拠調べ通知書及び前記新聞記事及びインターネットによる記載からも明らかであるから、これをもって、前記各文字が前記意味合いをもって広く使用されている実情を窺い知ることができるといい得るものである。
　なお、新聞社による調査結果は、２０歳以上の男女３００人を対象に、５日間に亘り、５０素材の新聞広告による効果を、３択方式で回答するインターネット調査であるが、証拠調べ通知書及び前記新聞記事による「ラーメン缶」又は「らーめん缶」の文字に関する記事は、新聞広告ではなく、新聞記事本文であるから、広告についての該調査結果は参考とならない。
　ところで、仮に、「ラーメン缶」及び「らーめん缶」の文字が、「ラーメンの缶詰」又は「缶に入ったラーメン」を表す語として、「広く使用されている」とはいい得ないとしても、「商標法３条１項３号は、取引者、需要者に指定商品の品質等を示すものとして認識され得る表示態様の商標につき、それ故に登録を受けることができないとしたものであって、該表示態様が、商品の品質を表すものとして必ず使用されるものであるとか、現実に使用されている等の事実は、同号の適用において必ずしも要求されないものと解すべきである。」（東京高裁平成１２年（行ケ）第７６号　平成１２年９月４日判決言渡）とも、判示されているところであるから、いずれにしても請求人の主張は採用できない。
　さらに、請求人は、「『査定後』に発行された新聞記事までも引用して識別力の欠如を指摘する。」、「本件事案においては、真摯に商標登録出願行為を行った本件出願人が、研究開発努力の結晶たる新商品を市場に出し、マスメディアを通じた広告宣伝活動を経て周知性の獲得を図ってきた。しかし、類似商標を使用した後発便乗業者のコピー商品の存在により先行投下資本の回収が困難な状況にある現状は、本件出願人の『商標が保護されず』、商標の使用する本件出願人の『業務上の信用の維持を図ることを困難とさせ』、結果『産業の発達に寄与させん』ことを強いられ、類似商標を付した数々のコピー商品の出現により『需要者の利益が大きく損なわれている』ものであり、先の査定及び同通知書による判断は、法目的にももとると言わざるを得ない。」とも主張している。
　しかしながら、請求人が提供する「調理済みのラーメン」が、その商品開発、販売に関する事業計画や宣伝活動に、相当の注意を払ってきたこと及び請求人が類似する商品の存在に苦慮しているところであるとしても、そのことが、商標法第３条第１項第３号の商標に該当するか否かの判断に影響を及ぼすものではなく、本願商標「ラーメン缶」の文字を、その指定商品「調理済みのラーメン」に使用しても、商品の形状、品質を表したにすぎず、自他商品の識別標識として認識し得ないものであること、前記認定のとおりである。
　そして、同号の適用にあたっては、請求人も自認するとおり、査定時又は審決時と解するのが相当であるから、拒絶査定後の新聞記事を引用して、本願商標についての同号該当性を判断したとしても、商標法の目的にもとるとはいえない。
　よって、請求人のいずれの主張も採用することができない。
　したがって、本願商標は商標法第３条第１項第３号に該当する。
（２）商標法第３条第２項に該当するとの主張について
　請求人は、本願商標は、商標法第３条第２項に該当すると主張し、原審及び当審において、手続補足書を甲第１号証ないし甲第８７号証（枝番含む。）を提出しているので、同項の適用について検討する。
　商標法第３条第２項の判断に際しては、「商標法第３条第２項の要件を具備するためには，使用商標は，出願商標と同一であることを要し，出願商標と類似のもの（例えば、文字商標において書体が異なるもの）を含まないと解すべきである。なぜなら，同条項は，本来的には自他商品識別力がなく，特定人の独占にもなじまない商標について，特定の商品に使用された結果として自他商品識別力を有するに至ったことを理由に商標登録を認める例外的規定であり，実際に商品に使用された範囲を超えて商標登録を認めるのは妥当ではないからである。そして，登録により発生する権利が全国的に及ぶ更新可能な独占権であることをも考慮すると，同条項は，厳格に解釈し適用されるべきものである。」（知財高裁平成１８年（行ケ）第１００５４号　平成１８年６月１２日判決言渡）と判示されているところである。
　そこで、これを踏まえて本願についてみると、請求人の提出に係る資料中、甲第１号証ないし甲第３号証、甲第５号証、甲第７号証、甲第９号証、甲第１１号証、甲第１３号証、甲第１５号証ないし甲第１９号証、甲第３０号証ないし甲第３３号証、甲第３５号証、甲第３７号証ないし甲第４３号証、甲第４５号証、甲第４９号証，甲第５１号証、甲第５３号証、甲第５４号証、甲第５７号証、甲第５９号証、甲第６３号証、甲第７３号証、甲第７６号証ないし甲第８１号証、甲第８４号証ないし甲第８７号証（枝番を含む。）は、テレビ番組、新聞、雑誌、インターネット上のウェブサイト等で紹介された請求人の提供に係る「調理済み即席ラーメンの缶詰」に関する放送内容や、記事である。
　また、当該商品の表面には、図形と共に、「札幌らーめん缶醤油味」、「札幌らーめん缶味噌味」、「札幌らーめん缶冷やし麺」のいずれかの文字が表されているものである。
　そして、当該商品に使用されている前記商標は、いずれも図形と共に、右側に「札幌」の文字を配し、その左側にやや大きく「らーめ」の文字を配し、そして、「札幌」の文字と、「らーめ」の文字との中程下方に、「ん缶」の文字を配し、各文字とも同色の色彩を施した縦書きの平仮名と漢字を配した構成よりなるものである。
　さらに、商品の種類によって、「らーめ」の文字の下に小さく「醤油味」、「味噌味」、「冷やし麺」のいずれかの文字が書されており、請求人提出の甲第７６号証及び甲第７７号証（いずれも現物）と同一の態様よりなるものである。
　また、請求人も、実際に商品に使用している商標は、装飾文字で書された甲第７６号証と同様の態様よりなるものと、平成１９年６月１５日付け提出の上申書において自認している。
　そうすると、「ラーメン缶」と横書きで一連に書した片仮名と漢字よりなる本願商標と、請求人が実際に商品に使用している前記態様よりなる商標とは、その構成及び態様を大きく異にするものであるから、出願された商標と使用している商標とは、同一とはいえず、商標法第３条第２項の要件である、出願商標と使用商標の同一性は認められない。　
　なお、請求人は、「証拠調べ通知書において、『ラーメン缶』及びこれに類似する『らーめん缶』としてその使用状況につき新聞掲載記事やインターネットでの事例を列挙したことから、本件出願人は甲号証に示された商標『らーめん缶』についても出願商標の使用と見て判断されているものと考え、これらをもってすれば本件商標は商標法第３条２項の適用を受けて登録を受けてしかるべきものである。」旨、主張している。
　しかしながら、同法第３条第２項に該当するには、出願商標と使用商標の同一性が必要であって、それには、例えば、文字商標において書体が異なるなどの類似のもを含まないとされ、さらに、同条項は、厳格に解釈し適用されなければならないことは、前記判示のとおりである。
　また、請求人が提出した全証拠を仔細に検討しても、本願商標「ラーメン缶」の文字が、その指定商品「調理済みの即席ラーメン」に使用された結果、需要者が何人かの業務に係る商品であることを認識するに至ったものと認め得るに足る証左は見あたらない。
　してみれば、本願商標が使用により自他商品識別力を獲得したとする請求人の主張は採用することはできない。
（３）まとめ
　したがって、本願商標が商標法第３条第１項第３号に該当し、かつ、同法第３条第２項の要件を具備しないものであるから、これを理由に本願を拒絶した原査定は、妥当であって、取り消すことはできない。
　よって、結論のとおり審決する。